(57)【要約】【課題】機器装置を梱包する梱包箱から収納ボックスを形成する際、ユーザにとって使い勝手がよくしかも資源を有効に再利用することができるようにする。【解決手段】梱包箱は梱包箱本体２１と複数の緩衝材を有しており、一つの緩衝材２４には、所定の方向に延びレール部を形成するための折り曲げ線が予め形成されている。この折り曲げ線に沿って緩衝材２４が折り曲げられて緩衝材２４にレール部３５を規定する。そして、残りの緩衝材はその一面が開放された箱状緩衝材であり、残りの緩衝材がレール部に沿って梱包箱本体に挿入されるとともに梱包箱本体から引き出される引き出しとして用いられる。【選択図】      図４
2004231214.tif 000002
【特許請求の範囲】
【請求項１】
機器装置を運搬保管する際に用いられ、前記機器装置を保護するための複数の緩衝材と、該緩衝材とともに前記機器装置が収納される箱体とを有する梱包箱であって、
前記緩衝材の一つには所定の方向に延びレール部を形成するための折り曲げ線が予め形成されており、
残りの前記緩衝材はその一面が開放された箱状緩衝材であって、該残りの緩衝材が前記レール部に沿って前記箱体に挿入されるとともに前記箱体から引き出される引き出しとして用いられるようにしたことを特徴とする梱包箱。
【請求項２】
前記箱体の一面側には前記残りの緩衝材の数に対応して、前記残りの緩衝材の挿入口を形成するための挿入口形成部が予め規定されていることを特徴とする請求項１に記載の梱包箱。
【請求項３】
前記箱体には前記レール部を補強するための補強部となる補強部形成部が予め規定されていることを特徴とする請求項２に記載の梱包箱。
【請求項４】
機器装置を運搬保管する際に用いられ、前記機器装置を保護するための複数の緩衝材と、該緩衝材とともに前記機器装置が収納される箱体とを有する梱包箱を用いて形成される収納ボックスであって、
前記箱体に配置された前記緩衝材の一つに形成され所定の方向に延びる折り曲げ線に沿って前記緩衝材の一つが折り曲げられて前記緩衝材の一つにレール部が規定され、
その一面が開放された箱状緩衝材である残りの前記緩衝材が前記レール部に案内されて残りの前記緩衝材が前記箱体の引き出しとして用いられるようにしたことを特徴とする収納ボックス。
【請求項５】
前記箱体の一面側に前記残りの緩衝材の数に対応して規定された挿入口形成用折り曲げ線に沿って形成された挿入口から前記残りの緩衝部材の挿入・引き出しが行われ、
前記箱体に規定され前記レール部を補強するための補強部形成用折り曲げ線に応じて形成された補強部を有すること特徴とする請求項４に記載の収納ボックス。
【発明の詳細な説明】
【０００１】
【発明の属する技術分野】
本発明は、機器装置を梱包する際に用いられる梱包箱及びこの梱包箱を用いた収納ボックスに関するものである。
【０００２】
【従来の技術】
一般に、印刷機（例えば、複写機）等の機器装置を工場等から出荷する際には、機器装置（以下複写機を例にあげて説明する）の保護及び運搬性を考慮して、例えば、複写機は、段ボール製の梱包箱に収納されて出荷される。一方、ユーザは小売店等を介して複写機を購入することになるが、この際にも、複写機は梱包箱に収納された状態でユーザに引き渡される。
【０００３】
そして、ユーザは梱包箱から複写機を取り出して、所望の位置に配置・セッティングの後、使用することのなるが、複写機を梱包していた梱包箱は解体されて、ゴミ等として廃棄される。
【０００４】
このように、複写機を運搬する際には、運搬上の利便性等を考慮して、複写機は梱包箱に収納されて運搬されることになるが、現状ではこの梱包箱は最終的には破棄されることになって、資源の再利用の観点から見ると、好ましいことではない。段ボール箱は再生紙として使用することも可能であるが、梱包箱を他の用途に利用することができれば、資源の再利用の点からも好ましい。
【０００５】
このため、従来、複写機の本体及び付帯物（例えば、用紙カセット、排紙トレイ、手差し給紙カセット、補充現像剤容器、清掃具等の保守用具）を収納できる大きさの箱体を、少なくとも２体の分割構成として、複写機本体及び付帯物を収納する際には、これら分割箱体を相互に結合して箱体（梱包箱）として使用し、複写機及び付帯物を箱体から取り出した後、分割箱体を棚箱として上下に積み重ねて、これら分割箱体を相互に結合して、ペデイスタルとして使用するようにして、資源の再利用を行うようしている。
【０００６】
つまり、複写機の運搬の際には、複写機本体及び付帯物の運搬梱包箱として用い、複写機使用の際には、例えば、複写機本体が据え載せられるとともに、付帯物を整理保管するための棚式ペデイスタルとして用いるようにしている（特許文献１参照）。
【０００７】
さらに、商品梱包の用を果たした後、物品の収納に用いるため、引き出し状の収納部に商品本体及びその他の付属品を収納して、この収納部が梱包箱本体から離脱することを防止するために、蓋を梱包箱本体の前面に繋留し、商品梱包を行って、蓋を梱包箱本体から外して解梱して、商品本体及び付属品を収納部から取り出し、収納部を物品収納に再利用することが行われている（特許文献２参照）。
【０００８】
【特許文献１】
特公平２−４８８９７号公報（第２ページ及び第３ページ、第１図〜第８図）
【０００９】
【特許文献２】
特開２００１−２３３３６６公報（段落（０００７）〜（００１５）、第１図〜第３図）
【００１０】
【発明が解決しようとする課題】
ところで、特許文献１に記載された複写機のペデイスタル兼運搬梱包箱においては、単に、梱包箱を分割箱体に分割して、複写機の運搬時には、これら分割箱体を相互に結合して梱包箱として用い、複写機本体及び付属物を梱包箱から取り出した後には、分割箱体を上下に相互に結合して、棚式ペデイスタルとして使用しているものの、特許文献１では、単に分割箱体を上下に相互に結合して、棚式ペデイスタルとして用いているだけで、その収納性を考慮すると、単に棚として用いることができるだけであり、ユーザにとって使い勝手が悪いという課題がある。
【００１１】
さらに、梱包箱には、複写機本体を衝撃等から保護するため、例えば、段ボール製の緩衝材が用いられているが、特許文献１では、これら緩衝材を再利用することは行われておらず、資源を有効に再利用とするという観点から見ると、不十分である。
【００１２】
同様に、特許文献２に記載された商品梱包箱においても、単に、収納部に商品本体等を収納して運搬し、商品本体を取り出した後に、この収納部を物品収納に再利用しているだけであって、梱包箱を有効に再利用しているとは言いがたい。
【００１３】
本発明の目的はユーザにとって使い勝手がよくしかも資源を有効に再利用することのできる梱包箱及びこの梱包箱を用いた収納ボックスを提供することにある。
【００１４】
【課題を解決するための手段】
本発明によれば、機器装置を運搬保管する際に用いられ、前記機器装置を保護するための複数の緩衝材と、該緩衝材とともに前記機器装置が収納される箱体とを有する梱包箱であって、前記緩衝材の一つには所定の方向に延びレール部を形成するための折り曲げ線が予め形成されており、残りの前記緩衝材はその一面が開放された箱状緩衝材であって、該残りの緩衝材が前記レール部に沿って前記箱体に挿入されるとともに前記箱体から引き出される引き出しとして用いられるようにしたことを特徴とする梱包箱が得られる。
【００１５】
このようにして、梱包箱において、緩衝材の一つに予め所定の方向に延びレール部を形成するための折り曲げ線を予め形成して、残りの前記緩衝材をレール部に沿って箱体に挿入されるとともに箱体から引き出される引き出しとして用いるようにすれば、緩衝材を有効に利用して、引き出しの案内として用いることができて、ユーザの使い勝手が良好となるばかりでなく、資源を有効に再利用することができることになる。
【００１６】
例えば、前記箱体の一面側には前記残りの緩衝材の数に対応して、前記残りの緩衝材の挿入口を形成するための挿入口形成部が予め規定され、さらに、前記箱体には前記レール部を補強するための補強部となる補強部形成部が予め規定されている。
【００１７】
また、本発明によれば、機器装置を運搬保管する際に用いられ、前記機器装置を保護するための複数の緩衝材と、該緩衝材とともに前記機器装置が収納される箱体とを有する梱包箱を用いて形成される収納ボックスであって、前記箱体に配置された前記緩衝材の一つに形成され所定の方向に延びる折り曲げ線に沿って前記緩衝材の一つが折り曲げられて前記緩衝材の一つにレール部が規定され、その一面が開放された箱状緩衝材である残りの前記緩衝材が前記レール部に案内されて残りの前記緩衝材が前記箱体の引き出しとして用いられるようにしたことを特徴とする収納ボックスが得られる。
【００１８】
このように、収納ボックスにおいて、梱包箱の箱体に配置された緩衝材の一つに形成され所定の方向に延びる折り曲げ線に沿って緩衝材の一つを折り曲げて、緩衝材の一つにレール部を規定し、該レール部によって案内して、残りの緩衝材を箱体の引き出しとして用いるようにすれば、緩衝材を有効に利用して、引き出しの案内として用いることができ、その結果、ユーザの使い勝手が良好となるばかでなく、資源を有効に再利用することができることになる。
【００１９】
そして、前記箱体の一面側に前記残りの緩衝材の数に対応して規定された挿入口形成用折り曲げ線に沿って形成された挿入口から前記残り緩衝部材の挿入・引き出しが行われ、前記箱体に規定され前記レール部を補強するための補強部形成用折り曲げ線に応じて形成された補強部を有している。
【００２０】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２１】
まず、図１（ａ）及び（ｂ）を参照して、ここで、複写機等の印刷機を運搬する際に用いられる梱包箱を例にあげて説明するが、印刷機以外の他の機器装置についても、同様にして本発明を適用することができる。図１（ａ）は梱包箱をその正面図であり、図１（ｂ）は梱包箱の側面図である。
【００２２】
図１（ａ）及び（ｂ）に破線で示す印刷機１１を運搬する際には（例えば、印刷機１１を工場から出荷する際には）、印刷機１１は、梱包箱２０に収納される。梱包箱２０は箱状の梱包箱本体（以下単に箱体と呼ぶ）２１を備えており、箱体２１に印刷機１１を収納する際には、箱体２１の底面に段ボール製の緩衝材（第１の緩衝材）２２が配置される。この緩衝材２２は一面側が開放された箱状の緩衝材であり、緩衝材はその開放面を上向きにして箱体２１の底面に配置される。
【００２３】
この緩衝材２２の底面には、一面が開放された緩衝材（第２の緩衝材）２３が、開放面を上向きにして配置されて、緩衝材２３の上に印刷機１１が配置される。これによって、印刷機１１の下側部分は緩衝材２２によって囲まれることになる。
【００２４】
さらに、緩衝材２２の上側には、両端面（図中上面及び下面）が開放された緩衝材（第３の緩衝材）２４が印刷機１１の左右に配置され、この緩衝材２４は板状の緩衝材である。なお、印刷機１１の前面及び後面には図示しない別の形状の緩衝材が配置されている。印刷機１１の上面には一面が開放された緩衝材（第４の緩衝材）２５がその開放面を下向きにして配置される。その後、一面が開放された緩衝材（第５の緩衝材）２６を開放面側から、緩衝材２５上に被せて、緩衝材２６によって印刷機１１の上側部分を囲むようにする。そして、箱体２１の蓋部２１ａを閉じて、梱包箱２０に印刷機を収納する。
【００２５】
このようにして、印刷機１１を箱体２１に収納した際には、緩衝材２２〜２６によって印刷機１１が箱体２１内に固定されて保護されることになる。この緩衝材２２〜２６の量は箱体２１に比べてもかなり量が多く、これら緩衝材２２〜２６を廃棄するとなると、資源の有効利用及び環境に与える負荷を考慮すると好ましいものではない。
【００２６】
上述のようにして、印刷機１１を梱包箱２０に収納した後、印刷機１１を運搬して、例えば、ユーザに配達する。ユーザ側では、梱包箱２０から印刷機を取り出した後、この梱包箱２０を後述するようにして組み立てて収納ボックスを形成し、この収納ボックス上に印刷機１１を配置することになる。
【００２７】
図２を参照すると、緩衝材２４は、その上側が二重構造となっており、これによってクッションの役割を果たしている。つまり、緩衝材２４はその上側部分において、側面２４ａに近接する面２４ｂと面２４ｂと所定の間隔をおいて内側に位置する面２４ｃとを有しており、面２４ｂ及び２４ｃによって空間２４ｄが形成されて、これによってクッションの役割を果たすようにしている。
【００２８】
前述のようにして、印刷機１１を梱包箱２０から取り出した後、緩衝材２５及び２６をその開放面を上側に向ける。つまり、上下を逆にする。そして、図２に示すように、下側から順に緩衝材２２，２６，２３，及び２５の順に位置づけが行われる。緩衝材２２に注目すると、上述の状態において、緩衝材２２の前面中央部には、図３（ａ）に示すように、上辺を除いて略楕円状のミシン目３１が形成されており、図３（ｂ）に示すように、このミシン目３１に沿って、切り取り、上辺を支持辺として楕円状部分３２を実線矢印で示すように、前面内側に折り込んで、指が挿入される空間３３が形成される（この空間３３が把手部となる）。同様にして、緩衝材２６，２３，及び２５の前面にも把手部が形成されることになる。
【００２９】
図４（ａ）〜（ｃ）を参照して、図４（ａ）に示すように、面２４ｃにはその延在方向に沿って互いに平行な複数の折り曲げ線部（以下単に罫線と呼ぶ：一点鎖線で示す）３４が形成されており、同様に、面２４ｂにも罫線３４が形成されている。そして、これら罫線３４に沿って面２４ｂ及び２４ｃを折り曲げて、図４（ｂ）に示すようにレール部３５を形成する。なお、上述のようにしてレール部３５を形成した状態で、上側二つのレール部３５を支持するための切り起こし部３６が予め面２４ａに形成されており、前述のようにして、レール部３５を形成した後、図４（ｂ）に破線で示すミシン目に沿って切り起こし部３６を内側に折り曲げて、爪部３７を規定し、この爪部３７でレール部３５を補強する。また、上述のようなレール部３５は緩衝材２４の左右面に形成されることになる。そして、上述のようにしてレール部３５を形成した緩衝材２４を箱体２１の内側側面に配置する。
【００３０】
図５を参照すると、箱体２１の前面側には、下側から順に、第１〜第４の挿入口を形成するための、挿入口形成部３８ａ〜３８ｄが規定されており、具体的には、挿入口形成部３８ａ〜３８ｄは一辺（下辺）を除いて矩形状のミシン目（図５において破線で示す）が形成されている。そして、このミシン目に沿って挿入口形成部３８ａ〜３８ｄに切れ目を入れて、各挿入口形成部３８ａ〜３８ｄの下辺を折り曲げ線（実線で示す）として、図中実線矢印で示すように、内側に折り曲げて、開口部を形成し、これら開口部をそれぞれ第１〜第４の挿入口３９ａ〜３９ｄ（図６（ａ）参照）とする。なお、図５に示すように、挿入口形成部３８ｂ〜３８ｄの上辺の両隅には予め爪部４０が形成されている。
【００３１】
図６（ａ）に示すように、挿入口形成部３８ａ〜３８ｄを内側に折り曲げると、この部分は補強材部４１ａ〜４１ｄとなり、予め緩衝材２４に形成された補強差し込み口４２に補強材部４１ｄに形成された前述の爪部４０を差し込み、これによって、補強材部４１ｄにレール部３５を固定補強することなる（図６（ｂ）参照）。
【００３２】
図６（ｃ）に示すように、箱体２１の側面には合計４つの切り起こし部４３ａ〜４３ｄが形成されており、これら切り起こし部４３ａ〜４３ｄは一直線上に配列されている。これら切り起こし部４３ａ〜４３ｄは一辺を除いてミシン目（図６（ｃ）において破線で示す）が形成され、ミシン目に沿って切り起こし部４３ａ〜４３ｄを、その一辺を折り曲げ線（実線で示す）として、実線矢印で示すように、内側に折り曲げて、爪部４４を規定する（図６（ａ）参照）。そして、この爪部４４が補強材部４１ｂを下側から支えることになって、第２の挿入口３９ｂが補強されることになる。
【００３３】
その後、図２で説明したように位置づけられた緩衝材２２，２６，２３，及び２５がそれぞれ第１〜第４の挿入口３９ａ〜３９ｄに挿入される。なお、緩衝材２２，２６，２３，及び２５は一面（図７において上面）が開放された箱状体であるから、緩衝材２２，２６，２３，及び２５は引き出しとして用いられることになる。そして、図７に示すようにして、箱体２１の蓋部（天フラップ）２１ａを図中実線矢印で示すように閉じて、収納ボックスとする。この際、レール部３５によって、緩衝材２２，２６，２３，及び２５の挿入・引き出しがガイドされるとともに、緩衝材２２，２６，２３，及び２５がレール部３５に支持されることになる。
【００３４】
上述のようして、収納ボックス５１を形成した後、印刷機１１が収納ボックス５１上に載置される（図８参照）。この際、収納ボックス５１、つまり、天フラップ２１ａは収納ボックス５１自体の構造によって支持されるから、印刷機１１を収納ボックス５１に載せても、収納ボックス５１に変形が生じることがない。
【００３５】
そして、上述の収納ボックス５１の各引き出しには、印刷機１１の付属品等が適宜収納されることになる。
【００３６】
このようにして、複数の緩衝材のうちの一つを予め形成されたミシン目に沿って折り曲げて、レール部を形成し、他の緩衝材を引き出しとして用いて、これら引き出しをレール部に沿って案内するとともにレール部自体によって補強を行うようにしたから、緩衝材を有効に利用して収納ボックスを梱包箱から容易に形成することができ、資源を有効に再利用できることになる。さらに、ユーザにとっては、レール部によって引き出しの挿入・引き出しが案内されるから、使い勝手がよい。
【００３７】
【発明の効果】
以上説明したように、本発明による梱包箱では、緩衝材の一つに予め所定の方向に延びレール部を形成するための折り曲げ線を予め形成して、残りの前記緩衝材がレール部に沿って箱体に挿入されるとともに箱体から引き出される引き出しとして用いられるようにしたから、緩衝材を有効に利用して、引き出しの案内として用いることができ、その結果、ユーザの使い勝手が良好となるばかでなく、資源を有効に再利用することができるという効果がある。
【００３８】
本発明による収納ボックスでは、梱包箱の箱体に配置された緩衝材の一つに形成され所定の方向に延び折り曲げ線に沿って緩衝材の一つが折り曲げられて緩衝材の一つにレール部が規定されて、レール部に案内されて残りの緩衝材が箱体の引き出しとして用いられるようにしたから、緩衝材を有効に利用して、引き出しの案内として用いることができ、その結果、ユーザの使い勝手が良好となるばかでなく、資源を有効に再利用することができるという効果がある。
【図面の簡単な説明】
【図１】本発明による梱包箱を示す図であり、（ａ）は正面図、（ｂ）は側面図である。
【図２】図１に示す梱包箱において用いられる緩衝材を示す構成図である。
【図３】図２に示す緩衝材に形成される把手を示す図であり、（ａ）は把手が形成されるミシン目（折り曲げ線）の概要図、（ｂ）は折り曲げ線で折り曲げた状態の概要図である。
【図４】緩衝材の一つを用いてレール部を形成する際の例を示す図であり、（ａ）は緩衝材の一つに形成された折り曲げ線の概要図、（ｂ）は折り曲げ線に沿って折り曲げを行いレール部を形成した状態の概要図、（ｃ）はレール部が形成された緩衝材を箱体に収納した状態を示す正面図である。
【図５】梱包箱に予め形成された挿入口形成部の概要図である。
【図６】梱包箱に形成された挿入口を示す図であり、（ａ）は挿入口の配列を示す斜視図、（ｂ）はレール部の補強を説明するための概要図、（ｃ）は挿入口の支持に用いられる爪部の形成を説明するための概要図である。
【図７】梱包箱に形成された挿入口に引き出しとして用いられる緩衝材を挿入して収納ボックスとする例を示す概要図である。
【図８】収納ボックスを印刷機とともに示す正面図である。
【符号の説明】
１１  印刷機
２０  梱包箱
２１  梱包箱本体（箱体）
２２〜２６  緩衝材
３５  レール部
【図１】
2004231214.tif 000003
【図２】
2004231214.tif 000004
【図３】
2004231214.tif 000005
【図４】
2004231214.tif 000006
【図５】
2004231214.tif 000007
【図６】
2004231214.tif 000008
【図７】
2004231214.tif 000009
【図８】
2004231214.tif 000010